(57)【要約】【課題】ポットの加圧部を軽い力で押圧でき、且つ、高さや外径の異なるポットに使用することができるポット用抽出補助具を提供する。【解決手段】ポット用抽出補助具１０は、ポット６０を載置可能なベース板１２を設ける。ベース板１２の一側に第１の支柱１４を立設する。第１の支柱１４に基部２６Ａが回動自在に設けられた押圧具２６を設ける。押圧具２６の先端部２６Ｂより基部２６Ａ側にポット６０内に貯留された液体をその注ぎ口６２より注出するための加圧部６４を押圧するための押圧部材３２を設ける。ベース板１２に第２の支柱３４を立設する。第２の支柱３４に容器載置用のテーブル４４を設ける。【選択図】      図１
2004242834.tif 000002
【特許請求の範囲】
【請求項１】
ポットを載置可能なベース板と、
該ベース板の一側に立設された第１の支柱と、
該第１の支柱に基部が回動自在に設けられた押圧具と、
該押圧具の先端部より前記基部側に設けられ、前記ポット内に貯留された液体をその注ぎ口より注出するための加圧部を押圧するための押圧部材と、
前記ベース板に立設された第２の支柱と、
該第２の支柱に設けられた容器載置用のテーブルとを備えたことを特徴とするポット用抽出補助具。
【請求項２】
前記第１の支柱には、当該第１の支柱を上下方向に伸縮させるための伸縮手段を設けたことを特徴とする請求項１のポット用抽出補助具。
【請求項３】
前記押圧具には、前記押圧部材を前記第１の支柱に近接／離間する方向に移動させるための第１の移動手段を設けたことを特徴とする請求項１又は請求項２のポット用抽出補助具。
【請求項４】
前記第２の支柱には前記テーブルの高さを調整するための調整手段を設けたことを特徴とする請求項１、請求項２又は請求項３のポット用抽出補助具。
【請求項５】
前記テーブルを前記ポットの注ぎ口に近接／離間する方向に移動させる第２の移動手段を備えたことを特徴とする請求項１、請求項２、請求項３又は請求項４のポット用抽出補助具。
【発明の詳細な説明】
【０００１】
【発明の属する技術分野】
本発明は、ベース板にポットを載置し、該ポット内に貯留された液体をポットの注ぎ口より注出するための加圧部を押圧するための押圧部材と、ベース板に立設された第２の支柱に容器載置用のテーブルを備えたポット用抽出補助具に関するものである。
【０００２】
【従来の技術】
従来エアーポンプ付きポットは、内部に貯留された液体を、ポットの上蓋に設けられた加圧部を指先で押圧することにより、エアーポンプ室内の空気をポット内部に送り込み、その空気圧でポット内部の液体を、ポットの前側に設けられた注ぎ口より、注ぎ口下側に置かれた茶碗やカップ或いは急須等の容器内に注出するものが知られている。しかし、エアーポンプ室内の空気をポット内部に送り込む加圧部の押圧はそれほど軽くはなく、加圧部を指先で何回も押圧すると、指先にかかる荷重で指先が痛くなってしまう場合がある。
【０００３】
そこで、加圧部の周囲の上蓋に指先を引っ掛けられる突起を設けたポットが考案されている（特許文献１参照）。この考案では、ポット内の液体を注ぎ口より注出する場合、突起に指先を引っ掛け、手の平を加圧部の上に置く。そして、突起を支点として手の平で加圧部を下方へ押圧し、ポット内の液体を注ぎ口から容器に注出する。このとき、加圧部を手の平で押圧するようにしているので、指先が痛くならずにポット内の液体を注ぎ口より容器に注出できるように構成している。
【０００４】
【特許文献１】
特開平３−１４９０１７号公報。
【０００５】
【発明が解決しようとする課題】
しかしながら、老人や身体障害者、特に、指に大きな力が入れられない人の場合などは、加圧部を押圧してポット内の液体を注ぎ口より注出し容器内に注ぐのが困難であった。このため、もっと軽い力で加圧部を押圧することができるポット用抽出補助具の開発が望まれていた。
【０００６】
本発明は、係る従来技術の課題を解決するために成されたものであり、ポットの加圧部を軽い力で押圧でき、且つ、高さや外径の異なるポットに使用することができるポット用抽出補助具を提供することを目的とする。
【０００７】
【課題を解決するための手段】
即ち、本発明のポット用抽出補助具は、ポットを載置可能なベース板と、このベース板の一側に立設された第１の支柱と、この第１の支柱に基部が回動自在に設けられた押圧具と、この押圧具の先端部より基部側に設けられ、ポット内に貯留された液体をその注ぎ口より注出するための加圧部を押圧するための押圧部材と、ベース板に立設された第２の支柱と、この第２の支柱に設けられた容器載置用のテーブルとを備えたことを特徴とする。
【０００８】
また、請求項２の発明のポット用抽出補助具は、上記に加えて、第１の支柱には、当該第１の支柱を上下方向に伸縮させるための伸縮手段を設けたことを特徴とする。
【０００９】
また、請求項３の発明のポット用抽出補助具は、請求項１又は請求項２に加えて、押圧具には、押圧部材を第１の支柱に近接／離間する方向に移動させるための第１の移動手段を設けたことを特徴とする。
【００１０】
また、請求項４の発明のポット用抽出補助具は、請求項１、請求項２又は請求項３に加えて、第２の支柱にはテーブルの高さを調整するための調整手段を設けたことを特徴とする。
【００１１】
更に、請求項５の発明のポット用抽出補助具は、請求項１、請求項２、請求項３又は請求項４に加えて、テーブルをポットの注ぎ口に近接／離間する方向に移動させる第２の移動手段を備えたことを特徴とする。
【００１２】
【発明の実施の形態】
次に、図面に基づき本発明の実施形態を詳述する。図１はベース板１２にポット６０を載置した本発明のポット用抽出補助具１０の側面図、図２は本発明のポット用抽出補助具１０の裏面図をそれぞれ示している。図中１０はポット用抽出補助具、６０はポット、６２はポット６０内から抽出される液体の注ぎ口、６４はポット６０内に貯留された液体を注ぎ口６２より注出するための加圧部である。
【００１３】
ポット用抽出補助具１０は、軽い力でポット６０内の液体を注ぎ口６２より注出することができ、然も、容器を置いた状態でポット６０内の液体を注出することができるもので、例えば図示しない食卓用の机やテーブル、或いは、座敷などの上に置くベース板１２と、このベース板１２の一側に立設された第１の支柱１４と、この第１の支柱１４の上端に回動自在に設けられた押圧具２６と、ベース板１２の他側に設けられた第２の支柱とから構成されている。
【００１４】
ベース板１２は、液体が貯留されたポット６０が載置された場合でも容易に破損や変形を起こさない所定の厚さの木板にて構成されている。該ベース板１２は、一般に市販されている大きなポット６０が容易に載置可能な直径約２５０ｍｍの大きさで、円形、楕円形、或いは、多角形（この場合５角形〜１０角形）に形成されている。尚、１２Ａはキャスターであり、このキャスター１２Ａにより、液体が貯留された重いポット６０がポット用抽出補助具１０のベース板１２に載置された場合容易に移動できるように構成されている。
【００１５】
第１の支柱１４は、固定板１６と移動板２０とから構成されており、この固定板１６と移動板２０も木板にて構成されている。該固定板１６は、長さ約２５０ｍｍ、幅約４０ｍｍ、厚さ約２０ｍｍの縦長略矩形状を呈しており、この固定板１６には幅約３０ｍｍ、深さ約１５ｍｍの溝１８が設けられている。該溝１８は、固定板１６の一面側に長手方向（下方から上方）に渡って設けられている。そして、固定板１６の長手方向一側が前記ベース板１２の一側縁部に図示しない釘或いは接着剤などによって固定されている。尚、ベース板１２には図示しないが金属板にて構成されたＬ字状の補強板がボルトにて固定されており、この補強板に固定板１６がボルトにて固定されている。これによって、ベース板１２に固定した固定板１６が容易に倒れないように補強している。
【００１６】
固定板１６上部には鋼板が断面コ字状に折曲された固定金具２２が設けられており、この固定金具２２は溝１８を覆う形で固定板１６に固定されている。また、固定金具２２には蝶ネジ２４が設けられており、この蝶ネジ２４は固定金具２２が固定板１６に固定された状態で、溝１８の略中央に位置して２カ所設けられると共に、固定金具２２の上下端近傍に設けられている。そして、蝶ネジ２４を手で回動して締め付けると蝶ネジ２４の先端側は溝１８内に進入し、緩めると溝１８内から脱出するように構成されている。尚、２２Ａは固定金具２２を固定板１６に固定している釘（ネジ固定でも差し支えない）である。
【００１７】
また、移動板２０は、長さ約２５０ｍｍ、幅約２９．５ｍｍ、厚さ約１４．５ｍｍの縦長略矩形状に形成されると共に、固定板１６に設けた溝１８内に挿入可能に構成されている。この移動板２０は、固定板１６の溝１８内に挿入された状態で上下に円滑に移動（本発明の伸縮手段に相当）できるように構成されている（図２実線矢印）。尚、移動板２０と蝶ネジ２４との間に金属板（図示せず）を介在させて、蝶ネジ２４を締め付けたとき移動板２０が傷付かないように構成しても差し支えない。また、移動板２０を金属で構成して溝１８の長手方向に複数の孔（図示せず）を設け、蝶ネジ２４を締め付けたとき蝶ネジ２４が孔に進入するようにしても差し支えない。この場合、蝶ネジ２４の先端が孔に進入した状態で固定板１６に移動板２０が保持されるので、蝶ネジ２４の締め付けが弱い場合でも押圧具２６の先端部２６Ｂを押圧した際、固定板１６と移動板２０とが溝１８の長手方向にずれてしまうのを確実に防止することができる。
【００１８】
また、押圧具２６は、長さ約２５０〜３５０ｍｍ、幅約２０〜４０ｍｍ、厚さ約１０ｍｍの縦長略矩形状に形成されており、この押圧具２６の一側（基部２６Ａ）が前記第１の支柱１４（移動板２０）に接続されている（図３、図４）。該押圧具２６は、移動板２０の上端に蝶番２８によって接続されており、押圧具２６は、この蝶番２８を支点にして回動自在に接続されている（図５実線矢印）。即ち、押圧具２６の基部２６Ａは移動板２０の上端に設けられると共に、移動板２０に回動自在に接続されている。尚、３０は蝶番２８を固定するための固定ネジである。
【００１９】
押圧具２６には、ポット６０の加圧部６４を押圧するための押圧部材３２が設けられている。この押圧部材３２は、ポット６０の加圧部６４を傷付け難いゴム、弾性を有した合成樹脂或いは、コルクなどの弾性材料にて構成されている。押圧部材３２は、長さ約３０ｍｍ〜６０ｍｍ、直径はポット６０の加圧部６４より所定寸法小さい（この場合、ポット６０の加圧部６４の２分の１乃至４分の１程度の直径）略円柱形で、先端（押圧具２６の離間側）は僅か先細り形状を呈している。
【００２０】
押圧具２６には調整孔２７が設けられており、この調整孔２７は押圧具２６の長手方向に渡って所定の間隔で複数（実施例では３カ所）設けられている（図４）。該調整孔２７は、押圧具２６の先端部２６Ｂより基部２６Ａ側（移動板２０側）に設けられると共に、これらの調整孔２７は、押圧具２６を長手方向に３分割乃至２分割した内の蝶番側の１分割地点近傍に設けられている。
【００２１】
そして、押圧部材３２は押圧具２６に設けられた所定の位置の調整孔２７（この場合、ベース板１２に載置されたポット６０の加圧部６４の略中心となる位置）に固定ネジで固定される（本発明の第１の移動手段に相当）。即ち、押圧部材３２はポット６０の加圧部６４側に位置させた状態で、加圧部６４の反対側からワッシャ３２Ｂを介して押圧具２６に固定ネジ３２Ａで固定される。
【００２２】
該押圧部材３２は、押圧具２６の先端部２６Ｂより基部２６Ａ側（この場合、押圧部材３２は押圧具２６の基部２６Ａ側から先端部２６Ｂ側へ約３分の１乃至約２分の１の地点近傍）に設けられている。これにより、ポット６０の加圧部６４を直接押圧する場合に対して、蝶番２８を支点に押圧具２６の先端部２６Ｂを押圧したとき約３分の１乃至約２分の１の軽い力でポット６０の加圧部６４を押圧できるように構成している。
【００２３】
即ち、押圧具２６の先端部２６Ｂを押圧することにより、蝶番２８を支点に押圧部材３２で加圧部６４を押圧できるので、梃子の力で加圧部６４を軽く押圧できる。尚、複数設けた調整孔２７は両端の調整孔２７間をくり抜いた長孔（図示せず）に形成しても差し支えない。この場合、押圧部材３２を長孔のどこの位置にでも無段階に調整固定することができるので、押圧部材３２でポット６０の加圧部６４の好適な位置を押圧することができる。
【００２４】
前記ベース板１２には第２の支柱３４が立設されており、この第２の支柱３４は第１の支柱１４の反対側に設けられている。第２の支柱３４の上部には、テーブル４４が設けられている。該テーブル４４は、ポット６０に設けられた注ぎ口６２下側に位置させて、ポット６０内の液体を注ぐためのお茶或いは汁などを入れる茶碗や、コーヒー、スープなど入れるカップ或いは急須等の容器（図示せず）を載置するものである。
【００２５】
第２の支柱３４は、これもまた木製の保持支柱３６と保持部材４２とから構成されており、保持支柱３６はベース板１２上に載置された状態でベース板１２に図示しない釘或いは接着剤などによって固定されている。保持支柱３６は、長さ約８０ｍｍ、外径約３０ｍｍに形成され、内部に長手方向に一辺が約１０ｍｍ角の保持孔３８が設けられている（図６）。そして、保持支柱３６は、保持孔３８の一面が第１の支柱１４側に指向された状態でベース板１２に固定される。
【００２６】
保持部材４２は、縦片４２Ａとこの縦片４２Ａの上端から略直角に鉤状に折れ曲がった横片４２Ｂとから構成されている。縦片４２Ａは、保持孔３８内径より僅か小さい形状で保持支柱３６の保持孔３８内を上下移動可能に構成されている。また、保持支柱３６の上方（ベース板１２の離間側）近傍には蝶ネジ４０が設けられている（図７）。尚、横片４２Ｂは、後述するテーブル４４に形成されたスライド溝４６の約２分の１乃至３分の１の長さを呈している。
【００２７】
そして、蝶ネジ４０を締め付けると保持支柱３６の保持孔３８内に挿入された保持部材４２（縦片４２Ａ）は蝶ネジ４０先端で保持孔３８内に押し付けられ、保持部材４２の上下移動が阻止されて固定される。また、蝶ネジ４０が緩められると保持孔３８内に挿入された保持部材４２（縦片４２Ａ）は上下移動できる。これによって、保持支柱３６は上下に調整可能に構成されている（本発明の調整手段に相当）。
【００２８】
そして、保持部材４２の横片４２Ｂには後述するテーブル４４が取り付けられる。即ち、保持部材４２と保持部材４２によってテーブル４４を上下移動可能に構成されている（図６、図７実線矢印）。尚、保持支柱３６と保持部材４２を木製で説明したが、保持支柱３６と保持部材４２は唖アルミニウムなどの軽量金属で構成しても差し支えない。
【００２９】
前記テーブル４４は、お茶或いは汁などを入れる茶碗や、コーヒー、スープなど入れるカップ或いは急須等の容器を載置可能な直径約１００ｍｍ、厚さ約１０ｍｍの円板形状に形成されている。テーブル４４には断面Ｔ字状のスライド溝４６が設けられており、このスライド溝４６はテーブル４４の下面を開口すると共に、一側から他側近傍まで延在している（図８、図９）。該スライド溝４６は、テーブル４４の下面から上面側に所定の幅で彫り込まれると共に、所定寸上面側に彫り込まれた箇所で、両側に幅広に彫り込まれたＴ字形状を呈している。即ち、スライド溝４６は、開口両側に相互に接近する方向に延在する縁片４６Ａ、４６Ａが形成されている（図１０）。
【００３０】
そして、テーブル４４はスライド溝４６の一側から保持部材４２の横片４２Ｂに挿入される（図１１）。係るテーブル４４は、スライド溝４６内に横片４２Ｂが挿入された状態で、スライド溝４６の長手方向に移動可能に構成されている（本発明の第２の移動手段に相当）。即ち、テーブル４４は、スライド溝４６内に挿入された横片４２Ｂが外れない範囲内で横片４２Ｂの長手方向（テーブル４４をポット６０の注ぎ口６２に近接／離間する方向）に移動できるように構成されている（図１２、図１３）。
【００３１】
また、横片４２Ｂには蝶ネジ４８が設けられており、この蝶ネジ４８はテーブル４４に形成したスライド溝４６内に横片４２Ｂが挿入された状態で、スライド溝４６の開口側からワッシャ５０を介して横片４２Ｂに螺合される（図１４）。これによって、スライド溝４６の縁片４６Ａ、４６Ａは横片４２Ｂとワッシャ５０によって挟持され、テーブル４４は保持部材４２に安定して略水平に固定される（図１５）。
【００３２】
以上の構成で次に、ポット用抽出補助具１０の使用例を説明する。尚、テーブル４４は固定板１６の離間側に移動してあるものとする。まず、押圧具２６の先端部２６Ｂを上方に持ち上げ、液体が貯留されたポット６０をベース板１２上に載置する。この場合、注ぎ口６２をテーブル４４側の略中央に向け、ベース板１２の固定板１６側にポット６０を載置する。そして、注ぎ口６２とテーブル４４との間に隙間がある場合は、蝶ネジ４８を緩めてテーブル４４をポット６０側に接近させ蝶ネジ４８を締め付け固定する。これにより、テーブル４４上に載置した容器開口をポット６０の注ぎ口６２下方に位置させることができる。尚、注ぎ口６２とテーブル４４との間に隙間が内場合は、テーブル４４位置を調整しなくてもよい。
【００３３】
次に、持ち上げた押圧具２６の先端部２６Ｂをポット６０側に倒し、押圧部材３２を加圧部６４に軽く接触させる。このとき、蝶ネジ２４を緩めて押圧具２６が略水平になるように、移動板２０を上下移動させる。押圧具２６を略水平にした後蝶ネジ２４を締め付け、固定板１６と移動板２０とを固定する。
【００３４】
次に、ポット６０内に貯留された液体を注ぐための容器をテーブル４４上に載置する。このとき、容器の開口がポット６０の注ぎ口６２下方に位置するようにテーブル４４上に載置する。次に、手で押圧具２６の先端部２６Ｂをポット６０側に押圧すると、押圧具２６に設けた押圧部材３２によってポット６０の加圧部６４がベース板１２側に押圧される。
【００３５】
このとき、押圧具２６には蝶番２８を支点に、基部２６Ａ側から約３分の１の地点近傍に押圧部材３２を設けているので軽い力で押圧具２６の先端部２６Ｂを押圧することができる。そして、加圧部６４が押圧部材３２で押圧されると図示しないエアーポンプ室内の空気がポット６０内部に送り込まれ、その空気圧でポット６０内部に貯留された液体が注ぎ口６２より、テーブル４４上に載置された容器内に抽出される。
【００３６】
このように、押圧具２６の先端部２６Ｂを軽い力で押圧するだけでポット６０の注ぎ口６２より液体を注出させることが可能となると共に、テーブル４４に容器を置くだけで容器を持たなくてもポット６０内の液体を容器内に注ぐことができるようになる。これにより、従来のように指が痛くなるなどの不都合を未然に解消することが可能となる。
【００３７】
また、第１の支柱１４には、第１の支柱１４を上下方向に伸縮させるための伸縮手段を設けているので、ポット６０の加圧部６４の高さに合わせて押圧具２６を略水平にすることができる。これにより、押圧具２６の先端部２６Ｂを押圧し易くすることが可能となり、高さの異なるポット６０の加圧部６４を押圧具２６の先端部２６Ｂで好適に押圧することができる。
【００３８】
また、押圧具２６には、押圧部材３２を第１の支柱１４に近接／離間する方向に移動させるための第１の移動手段を設けているので、異なるポット６０の加圧部６４の位置に合わせて押圧部材３２の位置を調整することができる。これにより、ポット６０の加圧部６４の好適な位置に押圧部材３２を当接させることが可能となるので、大きさの異なるポット６０の加圧部６４を押圧部材３２で好適に押圧することができる。
【００３９】
また、第２の支柱３４にはテーブル４４の高さを調整するための調整手段を設けているので、テーブル４４を任意の高さに調整することができる。これにより、テーブル４４に載置した容器とポット６０の注ぎ口６２とを液体が飛散し難い所定の狭い間隔に調整することができるので、容器を手で持たなくてもポット６０内の液体を容器内に抽出させることができ、注出中に熱湯が跳ね飛散して容器を持っている指や手が火傷してしまうなどの不都合を未然に防止することが可能となる。
【００４０】
更に、テーブル４４をベース板１２に近接／離間する方向に移動させる第２の移動手段を備えているので、テーブル４４に載置した容器の開口をポット６０の注ぎ口６２下方に位置させることが可能となる。これにより、ポット６０の大きさに合わせて、容器の開口をポット６０の注ぎ口６２下方に位置させることが可能になる。
【００４１】
尚、実施例では、ポット用抽出補助具１０の各部品の寸法を記載したが、部品の寸法は記載した寸法に限られず、使用するポットの寸法に合わせ適宜変更しても本発明は有効である。
【００４２】
また、第１の支柱１４をベース板１２の一側に立設し、第２の支柱３４をベース板１２の他側に立設したが、第１の支柱１４、第２の支柱３４はこの取り付け位置に限られず、梃子を応用してポット６０の加圧部６４を直接押圧する場合より軽い押圧でポット６０内の液体を抽出できれば、第１の支柱１４及び第２の支柱３４の取り付け位置は、一側、及び他側に限るものでなく、ベース板１２のどの位置に設けても差し支えない。
【００４３】
【発明の効果】
以上詳述した如く本発明によれば、ポットを載置可能なベース板と、このベース板の一側に立設された第１の支柱と、この第１の支柱に基部が回動自在に設けられた押圧具と、この押圧具の先端部より基部側に設けられ、ポット内に貯留された液体をその注ぎ口より注出するための加圧部を押圧するための押圧部材と、ベース板に立設された第２の支柱と、この第２の支柱に設けられた容器載置用のテーブルとを備えたので、押圧具の先端部を軽い力で押圧するだけでポットの注ぎ口より液体を注出させることが可能となると共に、テーブルに容器を置けば容器を持たなくてもポット内の液体を容器内に注ぐことができる。これにより、例えば、従来のように指が痛くなるなどの不都合を未然に解消することが可能となる。従って、指に大きな力が入れられない老人や身体障害者などでも軽い力でポット内に貯留された液体を容器内に注ぐことができるようになるものである。
【００４４】
また、請求項２の発明によれば、上記に加えて、第１の支柱には、当該第１の支柱を上下方向に伸縮させるための伸縮手段を設けたので、ポットの加圧部の高さに合わせて押圧具を略水平にすることが可能となる。これにより、押圧具の先端部を押圧し易くすることができるようになる。従って、例えば、高さの異なるポットの加圧部を押圧具の先端部で好適に押圧することができ、ポット用抽出補助具の利便性を大幅に向上させることができるようになるものである。
【００４５】
また、請求項３の発明によれば、請求項１又は請求項２に加えて、押圧具には、押圧部材を第１の支柱に近接／離間する方向に移動させるための第１の移動手段を設けたので、例えば、異なるポットの加圧部の位置に合わせて押圧部材の位置を調整することができる。これにより、ポットの加圧部の好適な位置に押圧部材を当接させることが可能となる。従って、例えば、大きさの異なるポットの加圧部を押圧部材で好適に押圧することができ、ポット用抽出補助具の利便性を大幅に向上させることができるようになるものである。
【００４６】
また、請求項４の発明によれば、請求項１、請求項２又は請求項３に加えて、第２の支柱にはテーブルの高さを調整するための調整手段を設けたので、テーブルを任意の高さに調整することができる。これにより、例えば、テーブルに載置した容器とポットの注ぎ口とを液体が飛散し難い所定の狭い間隔に調整することが可能となる。従って、容器を手で持たなくてもポット内の液体を容器内に抽出させることができるようになるものである。
【００４７】
特に、容器を手で持たなくてもポット内の液体を容器内に注出させることができるので、例えば、ポット内に熱湯が貯留されている場合、注出中に熱湯が跳ね飛散した場合などでも、その熱湯によって容器を持っている指や手が火傷してしまうなどの不都合を未然に防止することができる。
【００４８】
更に、請求項５の発明によれば、請求項１、請求項２、請求項３又は請求項４に加えて、テーブルをポットの注ぎ口に近接／離間する方向に移動させる第２の移動手段を備えたので、テーブルに載置した容器の開口をポットの注ぎ口下方に位置させることが可能となる。これにより、例えば、ポットの大きさに合わせて、容器の開口をポットの注ぎ口下方に位置させることが可能になるので、容器を手で持たなくてもポット内の液体を容器内に注ぐことができるようになるものである。
【図面の簡単な説明】
【図１】ベース板にポットを載置した本発明のポット用抽出補助具の側面図である。
【図２】本発明のポット用抽出補助具の裏面図である。
【図３】固定板に取り付けた押圧具の側面図である。
【図４】同図３の押圧具の平面図である。
【図５】本発明のポット用抽出補助具に設けた押圧具の回動を示す図である。
【図６】第２の支柱とテーブルの上下動作を示す一部縦断側面図である。
【図７】同図６の第２の支柱とテーブルの上下動作を示す正面図である。
【図８】テーブルの側面図である。
【図９】同図８のテーブルの下面図である。
【図１０】テーブルの背面図拡大図である。
【図１１】テーブルの背面図である。
【図１２】テーブルの側面図である。
【図１３】ポットの注ぎ口に近接させた状態のテーブルの側面図である。
【図１４】スライド溝に保持部材が挿入されたテーブルの拡大図である。
【図１５】保持部材が固定されたテーブルの拡大図である。
【符号の説明】
１０  ポット用抽出補助具
１２  ベース板
１４  第１の支柱
１６  固定板
１８  溝
２０  移動板
２２  固定金具
２４  蝶ネジ
２６  押圧具
２６Ａ  基部
２６Ｂ  先端部
２７  調整孔
２８  蝶番
３２  押圧部材
３４  第２の支柱
３６  保持支柱
４２  保持部材
４２Ａ  縦片
４２Ｂ  横片
４４  テーブル
４６  スライド溝
４６Ａ  縁片
６０  ポット
６２  注ぎ口
６４  加圧部
【図１】
2004242834.tif 000003
【図２】
2004242834.tif 000004
【図３】
2004242834.tif 000005
【図４】
2004242834.tif 000006
【図５】
2004242834.tif 000007
【図６】
2004242834.tif 000008
【図７】
2004242834.tif 000009
【図８】
2004242834.tif 000010
【図９】
2004242834.tif 000011
【図１０】
2004242834.tif 000012
【図１１】
2004242834.tif 000013
【図１２】
2004242834.tif 000014
【図１３】
2004242834.tif 000015
【図１４】
2004242834.tif 000016
【図１５】
2004242834.tif 000017